(57)【要約】【課題】金属製の筐体の外に配置されるアンテナを保持する保持部材の振動を抑えることのできる「通信機器」を提供することである。【解決手段】アンテナ２１を保持した保持部材２０、２３が、アンテナ２１が金属製の筐体１０の外に配置されるように、筐体１０の開口１０ａから突出した状態で筐体１０内に固定され、開口１０から突出した保持部材２０、３０の部分を覆うように非金属製のカバー部材１３が筐体１０に固定された通信機器であって、前記保持部材２０、３０の筐体１０から突出した部分を、カバー部材１３内において支持する支持部材１３４ａ、１３４ｂ、２６２ａ、２６２ｂを有する構成となる。【選択図】図８
2015033025.tif 000002
【特許請求の範囲】
【請求項１】
アンテナを保持した保持部材が、前記アンテナが金属製の筐体の外に配置されるように、前記筐体の開口から突出した状態で当該筐体内に固定され、前記開口から突出した前記保持部材の部分を覆うように非金属製のカバー部材が前記筐体に固定された通信機器であって、
前記保持材の前記筐体から突出した部分を、前記カバー部材内において支持する支持部材を有する通信機器。
【請求項２】
前記支持部材は、前記カバー部材内において、前記保持部材を挟み込む状態で支持する第１支持部材と第２支持部材とを含む請求項１記載の通信機器。
【請求項３】
前記第１支持部材は、前記カバー部材の内面から突出するリブ部を含む請求項２記載の通信機器。
【請求項４】
前記リブ部は、前記カバー部材の前記筐体側から奥側に向けて高くなるように傾斜している請求項３記載の通信機器。
【請求項５】
前記第２支持部材は、前記保持部材と前記カバー部材の内面との間の隙間を埋めるパッド部材を含む請求項２乃至４のいずれかに記載の通信機器。
【請求項６】
相互に接合する前記カバー部材と前記筐体との間に前記開口を囲む枠状のシール部材が設けられ、
前記シール部材は、該シール部材の枠の内方に突出する前記パッド部材としての突出部を有し、
前記カバー部材を前記開口から前記保持部材が突出する前記筐体に前記シール部材を介して固定した状態で、前記突出部は、前記開口から突出する前記保持部材によって前記カバー部材の内側に折り曲げられて、前記保持部材と前記カバー部材の内面との間の隙間を埋める請求項５記載の通信機器。
【請求項７】
前記カバー部材は、前記筐体の前記開口から突出する前記保持部材の部分を覆うカバー本体と、前記開口に嵌まり込む嵌合部と、前記カバー本体と前記嵌合部との間にあって、前記筐体の前記開口の周縁部に対面するフランジ部とを有し、
前記嵌合部には、前記カバー部材の前記フランジ部と前記筐体の前記開口の周縁部との間に挟まれる前記シール部材の前記突出部が通る孔が形成されている請求項６記載の通信機器。
【請求項８】
前記突出部の前記カバー部材の内面に対向する面に凸部が形成された請求項６または７に記載の通信機器。
【請求項９】
前記突出部の前記カバー部材の対向する面の所定箇所に溝が形成されている請求項６乃至８のいずれかに記載の通信機器。
【発明の詳細な説明】
【技術分野】
【０００１】
本発明は、保持部材に保持されたアンテナが金属製の筐体の外に配置され、前記保持部材の前記筐体から突出した部分を覆うように非金属製のカバー部材が前記筐体に固定された構造の通信機器に関する。
【背景技術】
【０００２】
従来、特許文献１に開示される通信機能を備えたノート型パーソナルコンピュータ等の情報処理装置（通信機器）が知られている。この情報処理装置では、表示部の背面が金属製の筐体で覆われている。そして、その筐体に形成された切欠き部に、アンテナを含むアンテナモジュールがその筐体の上側端部から突き出るように配置され、更に、そのアンテナモジュールがプラスチック等の非金属によって形成されたアンテナカバーによって覆われている。
【０００３】
このような情報処理装置（通信機器）によれば、金属製の筐体によって表示部の強度を向上させることができるとともに、金属製の筐体の上側端部から突き出るように配置されたアンテナモジュールが非金属製のアンテナカバーで覆われているので、金属製の筐体に妨げられることなく、アンテナを介した通信を確実に行うことができる。
【先行技術文献】
【特許文献】
【０００４】
【特許文献１】特開２００２−３２１５０号公報
【発明の概要】
【発明が解決しようとする課題】
【０００５】
しかしながら、前述した従来の情報処理装置（通信機器）のように、アンテナが金属製の筐体の外に配置されるように、そのアンテナを保持する保持部材（例えば、アンテナモジュール）を筐体内に固定する場合、前記保持部の筐体から突き出した部分が筐体の振動にともなって振動し易い。アンテナを介した指向性の広い通信を可能にするために、そのアンテナを保持する保持部材の筐体からの突き出し長を大きくすると、その傾向が特に顕著になる。
【０００６】
本発明は、このような事情に鑑みてなされたもので、金属製の筐体の外に配置されるアンテナを保持する保持部材の振動を抑えることのできる通信機器を提供するものである。
【課題を解決するための手段】
【０００７】
本発明に係る通信機器は、アンテナを保持した保持部材が、前記アンテナが金属製の筐体の外に配置されるように、前記筐体の開口から突出した状態で当該筐体内に固定され、前記開口から突出した前記保持部材の部分を覆うように非金属製のカバー部材が前記筐体に固定された通信機器であって、前記保持部材の前記筐体から突出した部分を、前記カバー部材内において支持する支持部材を有する構成となる。
【０００８】
このような構成により、アンテナが金属製の筐体の外に配置されるように当該アンテナを保持する保持部材が該筐体の開口から突出した状態で当該筐体内に固定され、その保持部材の金属製の筐体から突出した部分が、その部分を覆う非金属製のカバー部材内において支持部材によって支持される。
【０００９】
本発明係る通信機器において、前記支持部材は、前記カバー部材内において、前記保持部材を挟み込む状態で支持する第１支持部材と第２支持部材とを含む構成とすることができる。
【００１０】
このような構成により、アンテナを保持する保持部材の筐体から突出した部分を覆うように当該筐体に固定されたカバー部材内において、前記保持部材が第１支持部材と第２支持部材とによって挟み込まれた状態で支持される。
【００１１】
本発明に係る通信機器において、前記第１支持部材は、前記カバー部材の内面から突出するリブ部を含む構成とすることができる。
【００１２】
このような構成により、アンテナを保持する保持部材の筐体から突出した部分を覆うように当該筐体に固定されたカバー部材内において、前記保持部材が前記カバー部材の内面から突出するリブ部と第２支持部材とによって挟み込まれた状態で支持される。
【００１３】
本発明に係る通信機器において、前記リブ部は、前記カバー部材の前記筐体側から奥側に向けて高くなるように傾斜している構成とすることができる。
【００１４】
このような構成により、開口からアンテナの保持部材が突出する筐体にカバー部材を固定すると、該カバー部材の内面に形成されるリブ部の斜面に前記保持部材の先端部が突き当たり、該保持部材が前記リブ部と第２支持部材とによって挟み込まれた状態で支持される。
【００１５】
本発明に係る通信機器において、前記第２支持部材は、前記保持部材と前記カバー部材の内面との間の隙間を埋めるパッド部材を含む構成とすることができる。
【００１６】
このような構成により、アンテナを保持する保持部材の筐体から突出した部分を覆うように当該筐体に固定されたカバー部材内において、前記保持部材が、当該保持部材と当該カバー部材の内面との間の隙間を埋めるパッド部材と第１支持部材とによって挟み込まれた状態で支持される。
【００１７】
本発明に係る通信機器において、相互に接合する前記カバー部材と前記筐体との間に前記開口を囲む枠状のシール部材が設けられ、前記シール部材は、該シール部材の枠の内方に突出する前記パッド部材としての突出部を有し、前記カバー部材を前記開口から前記保持部材が突出する前記筐体に前記シール部材を介して固定した状態で、前記突出部は、前記開口から突出する前記保持部材によって前記カバー部材の内側に折り曲げられて、前記保持部材と前記カバー部材の内面との間の隙間を埋める構成とすることができる。
【００１８】
このような構成により、アンテナを保持する保持部材の筐体から突出した部分を覆うようにカバー部材を前記筐体にシール部材を介して固定すると、シール部材の枠の内方に延びる突出部が、前記保持部材によって前記カバー部材の内側に折り曲げられて、前記保持部材と前記カバー部材の内面との間の隙間を埋める。この状態で、前記保持部材が、前記シール部材の突出部と第１支持部材とによって挟み込まれた状態で支持される。
【００１９】
本発明に係る通信機器において、前記カバー部材は、前記筐体の前記開口から突出する前記保持部材の部分を覆うカバー本体と、前記開口に嵌まり込む嵌合部と、前記カバー本体と前記嵌合部との間にあって、前記筐体の前記開口の周縁部に対面するフランジ部とを有し、前記嵌合部には、前記カバー部材の前記フランジ部と前記筐体の前記開口の周縁部との間に挟まれる前記シール部材の前記突出部が通る孔が形成されている構成とすることができる。
【００２０】
このような構成により、シール部材の突出部がカバー部材の嵌合部に形成された孔に通り、その嵌合部が筐体の開口に嵌まり込んで、前記カバー部材のフランジ部と前記筐体の前記開口の周縁部との間にシール部材が挟み込まれた状態で、アンテナを保持する保持部材の前記筐体から突出した部分を覆うように、当該カバー部材が筐体に対して固定されると、カバー部材の嵌合部の孔から出るシール部材の突出部が、前記保持部材によって前記カバー部材の内側に折り曲げられて、前記保持部材と前記カバー部材の内面との間の隙間を埋める。この状態で、前記保持部材が、前記シール部材の前記突出部と第１支持部材とによって挟み込まれた状態で支持される。
【００２１】
本発明に係る通信機器において、前記突出部の前記カバー部材の内面に対向する面に凸部が形成された構成とすることができる。
【００２２】
このような構成により、シール部材の枠の内方に延びる突出部が、前記保持部材によって前記カバー部材の内側に折り曲げられて、前記保持部材と前記カバー部材の内面との間の隙間を埋めると、凸部がカバー部材の内面に突き当った状態になるので、前記シール部材の突出部が第１支持部材ともに前記保持部材を挟み込んでしっかり支持することができるようになる。
【００２３】
本発明に係る通信機器において、前記突出部の前記カバー部材の対向する面の所定箇所に溝が形成されている構成とすることができる。
【００２４】
このような構成により、シール部材の枠の内方に延びる突出部が、アンテナを保持する保持部材の筐体から突出した部分によって、溝の形成された箇所から、容易に前記カバー部材の内側に折り曲げられるようになる。
【発明の効果】
【００２５】
本発明に係る通信機器によれば、アンテナを保持する保持部材が金属製の筐体内に固定されるとともに、前記保持部材の前記筐体の開口から突出する部分を覆うように該筐体に固定される非金属製のカバー部材内において、前記保持部材が支持部材によって支持されるので、金属製の筐体の外に配置されるアンテナを保持する保持部材の振動を抑えることができる。
【図面の簡単な説明】
【００２６】
【図１】本発明の実施の形態に係る通信機器の外観を示す斜視図である。
【図２】図１に示す通信機器の主な構成部品を示す分解斜視図である。
【図３】筐体（上側筐体、下側筐体）内にＢＴ通信モジュールが固定された状態の通信機器を示す部分断面図である。
【図４】カバー部材とカバー・シール部材とを示す斜視図である。
【図５】カバー・シール部材がカバー部材にセットされた状態を示す斜視図である。
【図６】カバー・シール部材のカバー部材に対向する面を示す斜視図である。
【図７】カバー・シール部材のセットされたカバー部材が筐体（上側筐体、下側筐体）に取り付けられる直前の状態の通信機器を示す部分断面図である。
【図８】カバー部材がカバー・シール部材を介して筐体（上側筐体、下側筐体）に取り付けられた状態の通信機器を示す部分断面図である。
【図９】カバー部材が筐体に取り付けられた際のカバー・シール部材の状態を示す部分斜視図である。
【図１０】図１に示す通信機器が備えるアンテナの通信可能範囲（指向特性）を示す断面図である。
【発明を実施するための形態】
【００２７】
本発明の実施の形態について図面を用いて説明する。
【００２８】
本発明の実施の一形態に係る通信機器の外観は、図１に示される。この通信機器１００は、例えば、二輪車に搭載され、ブルートゥース（登録商標：以下、単にＢＴという）の通信手法に従って、利用者が所持する携帯端末（スマートフォン、音楽プレーヤ）からのオーディオ信号を受信し、利用者のヘルメットに備えられたヘッドセットに前記オーディオ信号を送信することができる。通信機器１００を構成する主な部品は、図２に示される。
【００２９】
図１に示すように、通信機器１００の筐体１０は、上側筐体１１と下側筐体１２とが一体となって構成される。筐体１０の所定の側面からコネクタユニット１４が突出し、筐体１０のコネクタユニット１４が突出する側面と逆側の側面にカバー部材１３が４つのボルトで固定される。筐体１０を構成する上側筐体１１及び下側筐体１２は、金属製（例えば、アルミダイカスト）であり、カバー部材１３は、樹脂等の非金属製である。
【００３０】
通信機器１００は、図２に示すように、筐体１０を構成する上側筐体１１及び下側筐体１２、カバー部材１３、コネクタユニット１４が固定されたメイン基板２２、ＢＴアンテナ２１を備えたＢＴ通信モジュール２０、サブ基板２３、フレキシブル基板２４、メイン基板２２とサブ基板２３とを所定の間隔に保持するスペーサ２５、カバー・シール部材２６、及び筐体・シール部材２７を備えている。上側筐体１１のカバー部材１３が固定される部位には開口１０ａが形成されている。カバー・シール部材２６及び筐体・シール部材２７のそれぞれは、軟性の樹脂またはゴム等の弾性部材にて形成されている。
【００３１】
各種電子部品が搭載されたメイン基板２２は、下側筐体１２内に固定される。メイン基板２２に固定されたコネクタユニット１４とメイン基板２２の端子群とがフレキシブル基板２４によって接続される。上側筐体１１は、下側筐体１２との間、及び下側筐体１２から突出するコネクタユニット１４の根本の周りとの間に筐体・シール部材２７を介在させた状態で、下側筐体１２及びコネクタユニット１４に係合し、４つのボルト（図２において図示略）によって下側筐体１２に固定される。筐体・シール部材２７により、上側筐体１１と下側筐体１２との間、及び上側筐体１１とコネクタユニット１４の周りとの間の気密性が保持される。
【００３２】
図２とともに図３を参照するに、ＢＴ通信モジュール２０がハンダ付け等によりサブ基板２３に固定されている。サブ基板２３は、スペーサ２５によってメイン基板２２に対して所定の間隔が保持された状態で、メイン基板２２に固定される。ＢＴ通信モジュール２０に設けられたＢＴアンテナ２１は、ＢＴ通信モジュール２０及びサブ基板２３によって保持された状態にある。即ち、ＢＴ通信モジュール２０及びサブ基板２３が一体となって構成されるＢＴアンテナ２１の保持部材は、ＢＴアンテナ２１が金属製の筐体１０（上側筐体１１、下側筐体１２）の外に配置されるように、筐体１０（上側筐体１１）の開口１０ａから突出した状態で、筐体１０（下側筐体１１）内に固定される（図３参照）。
【００３３】
カバー部材１３は、図４に拡大して示すように、カップ状のカバー本体１３１と、前述した筐体１０（上側筐体１１）の開口１０ａに嵌まり込む嵌合部１３２と、カバー本体１３１と嵌合部１３２との間にあって周りに鍔状に突出するフランジ部１３３とからなる。嵌合部１３２の長手方向の一辺の略中央部にフランジ部１３３に接するように２つの孔１３５ａ、１３５ｂが並んで形成されている。カバー・シール部材２６は、カバー部材１３の嵌合部１３２の形状に対応した形状の枠部２６１を有し、枠部２６１の一辺からその内方に突出する２つの突出部２６２ａ、２６２ｂが形成されている。カバー・シール部２６の２つの突出部２６２ａ、２６２ｂの位置は、カバー部材１３の嵌合部１３２に形成された２つの孔１３５ａ、１３５ｂの位置に対応する。また、カバー部材１３の嵌合部１３２の２つの孔１３５ａ、１３５ｂの形成された辺と対向する辺に続くカバー本体１３１の内面に２つのリブ部１３４ａ、１３４ｂが形成されている。これら２つのリブ部１３４ａ、１３４ｂのそれぞれは、カバー本体１３１（カバー部材１３）の奥側に向けて高くなるように傾斜している。
【００３４】
カバー・シール部材２６は、図５に示すように、２つの突出部２６２ａ、２６２ｂが孔１３５ａ、１３６ｂに通され、枠部２６１が嵌合部１３２に嵌め込まれた状態で、カバー部材１３にセットされる。カバー・シール部材２６の２つの突出部２６２ａ、２６２ｂのカバー部材１３の内面に対向する面には、図６に示すように、凸部２６３ａ、２６３ｂが形成され、それら突出部２６２ａ、２６２ｂの根本の部分に該突出部２６２ａ、２６２ｂの延びる方向と直交する方向に延びる細溝２６４ａ、２６４ｂが形成されている。
【００３５】
図７に示すように、筐体１０（上側筐体１１）の開口１０ａから突出するＢＴ通信モジュール２０（ＢＴアンテナ２１を含む）及びサブ基板２３に対向するように、カバー・シール部材２６がセットされたカバー部材１３（図５参照）が配置される。この状態から、カバー部材１３の嵌合部１３２が筐体１０（上側筐体１１）の開口１０ａに嵌め込まれる。すると、図８に示すように、カバー部材１３のフランジ部１３３と筐体１０（上側筐体１１）の口部１０ａを囲む部分との間にシール部材２６（枠部２６１）が挟まれた状態で、ＢＴ通信モジュール２０及びこのＢＴ通信モジュール２０が固定されたサブ基板２３の開口１０ａから突出した部分を覆うように、カバー部材２６が、筐体１０に接合し、４つのボルト（図１参照）によって固定される。カバー・シール部材２６によって、筐体１０（上側筐体１１）とカバー部材１３との間の気密性が保持される。
【００３６】
上述したようにＢＴ通信モジュール２０及びサブ基板２３の筐体１０から突出した部分を覆うようにカバー部材１３が筐体１０にカバー・シール部材２６を介して固定されると、カバー・シール部材２６の枠部２６１からその内方に延びる２つの突出部２６２ａ、２６２ｂは、サブ基板２３によって、図９に示すように、細溝２６４ａ、２６４ｂから、カバー部材２６の内側に折り曲げられて、凸部２６３ａ、２６３ｂがカバー部材１３（カバー本体１３１）の内面に突き当たった状態で、サブ基板２３とカバー部材２６の内面との間の隙間を埋める（図８参照）。一方、カバー部材１３が筐体１０に固定されると、ＢＴ通信モジュール２０の先端部分がカバー部材１３の内面に形成されたリブ部１３４ａ、１３４ｂの斜面に突き当たって、ＢＴ通信モジュール２０に対してサブ基板２３側に力が作用する。このリブ部１３４ａ、１３４ｂからＢＴ通信モジュール２０に対してサブ基板２３側に作用する力をカバー・シール部２６の突出部２６２ａ、２６２ｂを介してカバー部材１３の内面が受ける。これにより、ＢＴ通信モジュール２０及びサブ基板２３（ＢＴアンテナ２１の保持部材として機能する）の筐体１０の開口１０ａから突出する部分は、カバー部材１３内において、カバー部材１３のリブ部１３４ａ、１３４ｂ（第１支持部材）と、カバー・シール部材２６の突出部２６２ａ、２６２ｂ（第２支持部材）とによって挟み込まれた状態で支持される。
【００３７】
上述した構造の通信機器１００では、筐体１０（上側筐体１１、下側筐体１２）が金属製であって、筐体・シール部材２７及びカバー・シール部材２６によって筐体１０の気密性が保持されるので、耐振性及び防水性に優れたものとなる。また、ＢＴアンテナ２１が金属製の筐体１０の外に配置されるように、ＢＴアンテナ２１の保持部材としてのＢＴ通信モジュール２０及びサブ基板２３が、筐体１０の開口１０ａから突出した状態で、筐体１０内に固定され、そのＢＴモジュール２０及びサブ基板２３の開口１０ａから突出した部分が覆われるように非金属製のカバー部材１３が筐体１０に固定される。このため、図１０に示すように、ＢＴアンテナ２１の通信範囲αをより広く確保することができ、指向性の緩い広範な範囲に対する通信が可能になる。
【００３８】
更に、ＢＴアンテナ２１を保持する保持部材としてのＢＴ通信モジュール２０及びサブ基板２３が金属製の筐体１０（上側筐体１１）内に固定されるとともに、そのＢＴ通信モジュール２０及びサブ基板２３の筐体１０の開口１０ａから突出した部分を覆うように筐体１０に固定される非金属製のカバー部材１３内において、そのＢＴ通信モジュール２０及びサブ基板２３が、リブ部１３４ａ、１３４ｂ（第１支持部材）と、カバー・シール部材２６の突出部２６２ａ、２６２ｂ（第２支部材）とによって挟まれた状態で支持されるので、その金属製の筐体１０の外に配置されるＢＴアンテナ２１を保持する保持部材としてのＢＴモジュール２０及びサブ基板２３の振動を極力抑えることができる。
【００３９】
また、専用の支持部材（第２支持部材）を設けることなく、カバー・シール部材２６の一部（突出部２６２ａ、２６２ｂ）によって、ＢＴ通信モジュール２０及びサブ基板２３を支持する構造となっているので、部品点数を増やすことなく、ＢＴモジュール２０及びサブ基板２３を支持することができる。
【００４０】
カバー・シール部材２６の突出部２６２ａ、２６２ｂがカバー部材１３の嵌合部１３２に形成された孔１３５ａ、１３５ｂを通っているので、カバー部材１３を筐体１０に取り付ける際に、カバー・シール部材２６の突出部２６２ａ、２６２ｂがカバー部材１３の内側に折り曲げられても、その突出部２６２ａ、２６２ｂの変形が、カバー・シール部２６の枠部２６１に伝わり難い。従って、カバー・シール部２６の枠部２６１が変形することなく、その枠部２６１によって、より確実に筐体１０とカバー部材１３との間の気密性を保持することができる。
【００４１】
また、カバー・シール部２６の突出部２６２ａ、２６２ｂが、サブ基板２３によってカバー部材１３の内側に折り曲げられて、サブ基板２３とカバー部材１３の内面との間の隙間を埋めると、凸部２６３ａ、２６３ｂがカバー部材１３の内面に突き当たった状態になるので、カバー・シール部材２６の突出部２６２ａ、２６２ｂがリブ部１３４ａ、１３４ｂとともに、ＢＴ通信モジュール２０及びサブ基板２３を挟み込んでしっかり支持することができる。
【００４２】
更に、カバー・シール部２６の突出部２６２ａ、２６２ｂの根本に細溝２６４ａ、２６５ｂが形成されているので、カバー部材１３を筐体１０に取り付ける際に、サブ基板２３によって突出部２６２ａ、２６２ｂが細溝２６４ａ、２６４ｂから確実に折れ曲がる。従って、サブ基板２３とカバー部材１３の内面との間の隙間を突出部２６２ａ、２６２ｂによって確実に埋めることができる。
【００４３】
前述した通信機器１００は、筐体１０に固定されるカバー部材１３内において、筐体１０から突出するＢＴ通信モジュール２０及びサブ基板２３（ＢＴアンテナ２１の保持部材としての）を、カバー部材１３の内面に形成されたリブ部１３４ａ、１３４ｂと、カバー・シール部材２６の突出部２６２ａ、２６２ｂとによって挟んだ状態で支持する構造であったが、ＢＴモジュール２０及びサブ基板２３を支持する構造（支持部材）はこれに限定されない。カバー・シール部材２６の突出部２６２ａ、２６２ｂに代えて、サブ基板２３とカバー部材１３の内面との間の隙間を埋める弾性部材で形成された他のパッド部材や、カバー部材１３の内面から突出するリブ部等の他の構造体を支持部材（第２支持部材）として用いることができる。また、カバー部材１３の内面に形成されたリブ部１３４ａ、１３４ｂに代えて他の構造体を支持部材（第１支持部材）として用いることもできる。
【００４４】
更に、カバー部材１３内においてＢＴ通信モジュール２０及びサブ基板２３（ＢＴアンテナ２１の保持部材としての）を支持する支持部材は、前述したように、ＢＴ通信モジュール２０及びサブ基板２３を挟み込む構造でなくてもよい。例えば、ＢＴ通信モジュール２０及びサブ基板２３の先端部とカバー部材１３のカバー本体１３１の底面との間の隙間を埋める弾性部材を支持部として用いることもできる。
【産業上の利用可能性】
【００４５】
本発明に係る通信機器は、金属製の筐体の外に配置されるアンテナを保持する保持部材の振動を抑えることができるという効果を有し、保持部材に保持されたアンテナが金属製の筐体の外に配置され、前記保持部材の前記筐体から突出した部分を覆うように非金属製のカバー部材が前記筐体に固定された構造の通信機器として有用である。
【符号の説明】
【００４６】
１０  筐体
１０ａ  開口
１１  上側筐体
１２  下側筐体
１３  カバー部材
１４  コネクタユニット
２０  ＢＴ通信モジュール
２１  ＢＴアンテナ
２２  メイン基板
２３  サブ基板
２４  フレキシブル基板
２５  スペーサ
２６  カバー・シール部材
２７  筐体・シール部材
１００  通信機器
１３１  カバー本体
１３２  嵌合部
１３３  フランジ部
１３４ａ、１３４ｂ  リブ部
１３５ａ、１３５ｂ  孔
２６１  枠部
２６２ａ、２６２ｂ  突出部
２６３ａ、２６３ｂ  凸部
２６４ａ、２６４ｂ  細溝
【図１】
2015033025.tif 000003
【図２】
2015033025.tif 000004
【図３】
2015033025.tif 000005
【図４】
2015033025.tif 000006
【図５】
2015033025.tif 000007
【図６】
2015033025.tif 000008
【図７】
2015033025.tif 000009
【図８】
2015033025.tif 000010
【図９】
2015033025.tif 000011
【図１０】
2015033025.tif 000012